(57)【要約】      （修正有）【課題】多種多様ある筆記具の中でも、互いに共通する説明書が設けられた包装袋に、互いに異なるバーコードが設けられた筆記具を収容することができる筆記具包装体を提供する。【解決手段】筆記具包装体１は、筆記具２と、表面３と裏面４とが重ねられた透明な樹脂基材からなる矩形状の包装袋５とを備え、包装袋５の裏面３の中央から下方の領域に筆記具２の説明書に関する印刷部７が設けられ、筆記具２の側面２ａの中央から上方の領域に当該筆記具２に関するバーコード８が設けられ、筆記具２が包装袋５の内部に、当該筆記具２の上方が当該包装袋５の上方に位置するよう収容されたことを特徴とする。【選択図】図２
0003202987.tif 000002
【実用新案登録請求の範囲】
【請求項１】
筆記具と、表面と裏面とが重ねられた透明な樹脂基材からなる矩形状の包装袋とを備え、前記包装袋の裏面の中央から下方の領域に前記筆記具の説明書に関する印刷部が設けられ、前記筆記具の側面の中央から上方の領域に当該筆記具に関するバーコードが設けられ、前記筆記具が前記包装袋の内部に、当該筆記具の上方が当該包装袋の上方に位置するよう収容されたことを特徴とする筆記具包装体。
【考案の詳細な説明】
【技術分野】
【０００１】
本考案は、包装袋で筆記具を包装した筆記具包装体に関するものである。
【背景技術】
【０００２】
従来、筆記具は、包装袋に収容された状態で販売される場合があり、特許文献１に記載されているように、中身の商品を見ることができることから、透明な樹脂製のフィルムで形成した包装袋に入れて販売されることが多い。
【０００３】
前記包装袋には、一次元コードいわゆるバーコードが設けられることが多く、そのバーコードは、包装された筆記具に関する品番や金額などの情報をコードリーダにて簡単に読み取ることができる利便性があることから、特に多種多様の商品が存在する筆記具においては、出荷時や販売時に役立つものである。
また前記包装袋には、筆記具の使用方法や替レフィルなどの説明書が印刷されていることが多く、その説明書は、使用者が使用する際に役立つものである。
【０００４】
ところで多種多様ある筆記具の中でも、使用方法や替レフィルなどが、互いに共通するものが存在しており、この場合には、前記包装袋の説明書を同じ内容とすることができるのだが、品番や金額が異なるバーコードに関しては、共通化することができず、結果的に、各筆記具専用の包装袋を必要としていた。
【０００５】
尚、包装袋の中に収容される筆記具の軸筒あるいはキャップの側面に、印刷やシールでバーコードが設けられている場合もあるが、包装袋の中に収容した状態で、筆記具のバーコードを読み取ることを考えてはいないことから、筆記具のバーコードをコードリーダで読み取る際には、包装袋の中で筆記具を回転させたり、包装袋を開封する必要があった。
しかしながら、筆記具には、軸筒から突出したクリップやエラストマーなどで形成された滑り止めが設けられていることから、包装袋の中で回転させることは容易ではなく、例え回転させることができたとしても、包装袋を破ってしまったり、皺を生じさせてしまう虞があった。また、包装袋を開封することは、再度、封をする手間が掛かり、内部にゴミが混入しないような配慮も必要であることから、現実的ではない。
【先行技術文献】
【特許文献】
【０００６】
【特許文献１】実用新案登録第３１５６３３４号公報
【考案の概要】
【考案が解決しようとする課題】
【０００７】
本考案の目的は、多種多様ある筆記具の中でも、互いに共通する説明書が設けられた包装袋に、互いに異なるバーコードが設けられた筆記具を収容することができる筆記具包装体を提供することである。
【課題を解決するための手段】
【０００８】
本考案は、
「筆記具と、表面と裏面とが重ねられた透明な樹脂基材からなる矩形状の包装袋とを備え、前記包装袋の裏面の中央から下方の領域に前記筆記具の説明書に関する印刷部が設けられ、前記筆記具の側面の中央から上方の領域に当該筆記具に関するバーコードが設けられ、前記筆記具が前記包装袋の内部に、当該筆記具の上方が当該包装袋の上方に位置するよう収容されたことを特徴とする筆記具包装体。」である。
【０００９】
前記の通り、本考案の筆記具包装体では、筆記具の説明に関する印刷部が裏面の中央から下方の領域に設けられた包装袋の内部に、筆記具に関するバーコードが側面の中央から上方の領域に設けられた該筆記具を、当該筆記具の上方が当該包装袋の上方に位置するよう収容することで、当該包装袋の透明な表面からは筆記具の全体を確認することができ、包装袋の裏面からは筆記具の説明書を確認することができ、さらに包装袋の中央から上方の領域は表裏共に透明であることから、いずれの方向からでも筆記具に設けたバーコードを読み取ることが可能なものとなる。
【００１０】
前記包装袋を形成する樹脂基材は、従来から用いられているポリプロピレン、ポリエチレン、ポリエステル、塩化ビニルフィルムなどで透明性が高く内部の商品が見易いものを使用することが好ましい。
また矩形状の包装袋は、その四辺を、接着剤による接着や熱による融着あるいは折返しなどによって樹脂基材の表裏が連接するよう形成すればよい。特に、あらかじめ表面と裏面の長辺（筆記具の軸心に沿った方向）が連接された筒状の樹脂基材に対し、筆記具を収容させた上で、短辺（筆記具の軸心に直交する方向）を熱融着して包装する形態のものは、安価に加工できるメリットが大きく、低価格の筆記具への採用に適している。
【００１１】
また、包装袋の長辺を筆記具の全長より長く形成することにより、該包装袋の中央の印刷部と該筆記具の中央のバーコードとが重なった場合においても、当該筆記具を上方へずらすことで、容易にコードリーダにてバーコードを読み取ることができる。
また、包装袋の縁辺にＶ字の切込を設けたり、包装袋の縁辺の内側に切取用のミシン目を設けることで、包装袋を開封し易くすることができ、ミシン目とＶ字の切込の両方を設けることで、使用者がその時の状況に応じて開封し易い方を選択できるものとなる。
尚、筆記具に設けるバーコードは、二次元コードいわゆるＱＲコード（登録商標）であってもよい。
【考案の効果】
【００１２】
本考案では、多種多様ある筆記具の中でも、互いに共通する説明書が設けられた包装袋に、互いに異なるバーコードが設けられた筆記具を収容することができる筆記具包装体を提供することが可能となった。
【図面の簡単な説明】
【００１３】
【図１】本実施例の筆記具包装体を表側から見た斜視図である。
【図２】図１の筆記具包装体を裏側から見た斜視図である。
【図３】図１とは異なる筆記具を収容した筆記具包装体を表側から示した斜視図である。
【図４】図３の筆記具包装体を裏側から見た斜視図である。
【考案を実施するための形態】
【００１４】
以下、図面を参照して本考案における筆記具包装体の実施例について説明を行う。尚、説明を分かり易くするために、図面中の同様の部材、同様の部分については同じ番号を付してある。
【００１５】
図１及び図２に基づいて本考案における筆記具包装体について説明する。
本実施例の筆記具包装体１は、キャップ式の筆記具２を、表面３と裏面４とが重ねられた透明な樹脂基材からなる矩形状の包装袋５に収容してある。
包装袋５の裏面４の中央から下方の領域には、筆記具２の使用方法と替レフィルの説明書６（図中、ひらがな及びアルファベットで模式的に示した）に関する印刷部７が設けられている。
筆記具２の側面２ａの中央から上方の領域には、当該筆記具２の品番と金額に関するバーコード８を設けたシール９が貼られている。
前記筆記具２は前記包装袋５の内部に、筆記具２の上方が包装袋５の上方に位置するよう収容してある。
【００１６】
したがって筆記具包装体１は、包装袋５の透明な表面３からは筆記具２の全体を確認することができ、包装袋５の裏面４からは筆記具２の説明書６を確認することができる。さらに、包装袋５の中央から上方の領域は表裏共に透明であることから、いずれの方向からでも筆記具２のバーコード８を、バーコードリーダ（図示せず）で読み取ることが可能である。
【００１７】
本実施例の包装袋５は、あらかじめ表面３と裏面４の長辺Ｌを熱融着により連接させたポリプロピレンからなる筒状の樹脂基材に対し、筆記具２を収容させた上で、短辺Ｓを熱融着させて封をしてある。
また、包装袋の長辺Ｌを筆記具２の全長より長く形成してあることから、もしも包装袋５の印刷部７と筆記具２のバーコード８が重なった場合においても、筆記具２を上方へずらすことで、容易にバーコード８を読み取ることができる。
また、包装袋５の上縁５ａにはＶ字の切込５ｂを設けてあり、包装袋５の上縁５ａの内側には切取用のミシン目５ｃを設けてあり、包装袋５を開封し易くしてある。
【００１８】
図３及び図４に示す筆記具包装体１０は、包装袋５に、図１及び図２の筆記具２とは異なるノック式の筆記具２０を収容してある。それ以外は全て筆記具包装袋１と同様であるため、説明を省略する。
筆記具２０の側面２０ａの中央から上方の領域には、当該筆記具２０の品番と金額に関するバーコード８０を設けたシール９０が貼られている。
この筆記具２０のバーコード８０は、前述の筆記具２のバーコード８とは異なる内容のものである。これに対し筆記具２と筆記具２０は、筆記具２と筆記具２０との使用方法及び替レフィルが共通することから、説明書６は同じでよく、包装袋５を共通化することができた。
【００１９】
筆記具包装体１０は、前記筆記具包装体１と同様に、包装袋５の透明な表面３からは筆記具２０の全体を確認することができ、包装袋５の裏面４からは筆記具２０の説明書６を確認することができる。さらに、包装袋５の中央から上方の領域は表裏共に透明であることから、いずれの方向からでも筆記具２０のバーコード８０をバーコードリーダ（図示せず）で読み取ることが可能である。
【符号の説明】
【００２０】
１，１０…筆記具包装体、
２，２０…筆記具、
２ａ、２０ａ…側面、
３…表面、
４…裏面、
５…包装袋、５ａ…上縁、５ｂ…切込、５ｃ…ミシン目、
Ｌ…長辺、Ｓ…短辺、
６…説明書、
７…印刷部、
８，８０…バーコード、
９，９０…シール。
【図１】
0003202987.tif 000003
【図２】
0003202987.tif 000004
【図３】
0003202987.tif 000005
【図４】
0003202987.tif 000006